(57)【特許請求の範囲】
【請求項１】
内部に飲食物を収容可能な３以上の器体を有し、
前記器体の高さ方向を縦方向とし、前記縦方向と交差する方向を横方向とした場合に、
複数の前記器体を前記横方向に隣接するように連結可能であり、
複数の前記器体のうち少なくとも１の前記器体には筋状の凹部が設けられ、当該器体と隣接して連結される前記器体には筋状の凸部が設けられており、
前記凹部及び前記凸部は、前記凹部に対して前記凸部をスライドさせて嵌め込むことにより２つの前記器体を連結するスライド連結部をなしており、
複数の前記スライド連結部と、
１の前記器体に設けられた前記凸部を他の前記器体に設けられた前記凹部に進入させてこれらの前記器体を連結する場合に、これらの前記器体を所定の位置で位置決めする位置決め部と、を備え、
複数の前記スライド連結部には、前記横方向に延びるように形成された横スライド連結部、及び前記縦方向に延びるように形成された縦スライド連結部が含まれており、
少なくとも２の前記器体を前記横スライド連結部により連結可能であり、前記横スライド連結部により連結された少なくとも２の前記器体と、他の前記器体とを、縦スライド連結部により連結可能である、食器セット。
【請求項２】
前記凹部が蟻溝状とされている、請求項１に記載の食器セット。
【請求項３】
１の前記器体の内部に、他の前記器体を格納可能である、請求項１又は２に記載の食器セット。
【請求項４】
請求項１〜３のいずれかに記載の食器セットを構成する器体。
【発明の詳細な説明】
【技術分野】
【０００１】
本発明は、飲食物や食材を収容可能な器を複数備える食器セットに関する。
【背景技術】
【０００２】
従来、配膳のための食器や食品を保存するための容器など、用途に応じた様々な食器セットが提供されている。例えば、下記特許文献１には、複数の食器を備え、複数の食器に飲食物を収容した状態で積み重ねることができる食器セットが提供されている。
【先行技術文献】
【特許文献】
【０００３】
【特許文献１】特開２００４−３５８１５９号公報
【発明の概要】
【発明が解決しようとする課題】
【０００４】
ここで、食器セットの用途や使用シーンによっては、食器を重ねずに連結させて持ち運びしたい場合もある。例えば、複数人数で行われるバーベキューなどでは、取り皿や盛り付け皿など複数の器が用いられる。このような場合、食材や料理等を複数の器に盛り付けて重ねて持ち運ぶとすると、器の集合体全体として高さが大きくなり、ユーザが両手で把持する必要が生じるなど不便である。そのため、複数の器を分離及び連結可能としつつ、連結された複数の器を片手で把持可能な食器セットに対するニーズがあった。
【０００５】
そこで本発明は、器を連結させた状態で片手で持ち運び可能な食器セットの提供を目的とした。
【課題を解決するための手段】
【０００６】
（１）上述の課題を解決すべく提供される本発明の食器セットは、内部に飲食物を収容可能な複数の器体を有し、前記器体の高さ方向を縦方向とし、前記縦方向と交差する方向を横方向とした場合に、複数の前記器体を前記横方向に隣接するように連結可能であり、複数の前記器体のうち少なくとも１の前記器体には筋状の凹部が設けられ、当該器体と隣接して連結される前記器体には筋状の凸部が設けられており、前記凹部及び前記凸部は、前記凹部に対して前記凸部をスライドさせて嵌め込むことにより２つの前記器体を連結するスライド連結部をなしている。
【０００７】
本発明の食器セットによれば、横方向に（水平方向に）隣接するように複数の器体を連結することができる。これにより、複数の器体を連結させたユニット体の高さが大きくなることを抑制して、ユニット体を片手で把持して持ち運び可能となる。また、本発明の食器セットによれば、複数の器体が横方向（水平方向）に連結されるため、器体に食材等を盛り付けた状態を視認しつつ、ユニット体を片手で把持して持ち運ぶことができる。
【０００８】
（２）また、本発明の食器セットは、前記凹部が蟻溝状とされているものであるとよい。
【０００９】
上述の構成によれば、凹部に進入させた凸部を抜け止めとして機能させることができる。その結果、本発明の食器セットは、１の器体から他の器体が脱落することを抑制して、確実に２つの器体を連結することができる。
【００１０】
（３）本発明の食器セットは、少なくとも１の前記スライド連結部は、前記横方向に延びるように形成された横スライド連結部であるとよい。
【００１１】
上述の構成によれば、１の器体に対し他の器体を横方向にスライドさせて相対的に移動させることにより凹部に凸部が進入して２つの器体を連結することができる。すなわち、２つの器体を横方向に相対移動させることにより連結させるため、２つの器体が上下方向に位置決めされた状態で連結される。その結果、本発明の食器セットは、複数の器体が連結されたユニット体のうち、１の器体のみを把持した場合であっても（片持ちで把持した場合あっても）安定してユニット体を持ち上げることができる。
【００１２】
（４）本発明の食器セットは、少なくとも１の前記スライド連結部が、前記縦方向に延びるように形成された縦スライド連結部であるとよい。
【００１３】
上述の構成によれば、器体を横方向への移動を制限することができる。
【００１４】
（５）本発明の食器セットは、３以上の前記器体と、複数の前記スライド連結部と、を備え、複数の前記スライド連結部には、前記横方向に延びるように形成された横スライド連結部、及び前記縦方向に延びるように形成された縦スライド連結部が含まれており、少なくとも２の前記器体を前記横スライド連結部により連結可能であり、前記横スライド連結部により連結された少なくとも２の前記器体と、他の前記器体とを、縦スライド連結部により連結可能であるとよい。
【００１５】
上述の構成によれば、横スライド連結部により連結された器体の集合体（ユニット体）に対し、横方向への移動を規制して位置決めすることができる。すなわち、複数の器体を横スライド連結部により上下方向に位置決めされた状態で連結するとともに、縦スライド連結部によりこれらの器体を横方向に位置決めすることができる。その結果、本発明の食器セットは、器体の集合体（ユニット体）を片持ちで安定して把持可能としつつ、ユニット体がズレて脱落することを抑制して、より強固に器体を連結することができる。
【００１６】
（６）本発明の食器セットは、１の前記器体の内部に、他の前記器体を格納可能であるとよい。
【００１７】
上述の構成によれば、複数の器体をコンパクトな外形とすることができる。これにより、本発明の食器セットは、嵩張らず効率的に収納することができる。
【００１８】
（７）本発明の器体は、上述したいずれかの食器セットを構成するものである。
【００１９】
本発明の器体によれば、横方向に（水平方向に）隣接するように他の器体と連結させることができる。これにより、複数の器体を連結させたユニット体の高さが大きくなることを抑制して、ユニット体を片手で把持して持ち運び可能となる。
【発明の効果】
【００２０】
本発明によれば、器を連結させることにより、お盆などを必要とすることなく一挙に多種の食材を、片手で持ち運び可能な食器セットを提供することができる。また、食器セットによれば、テーブルなどに食器セットを移動させた後には、必要に応じて連結を解除し、個別の食器として取り扱うこともできる。
【図面の簡単な説明】
【００２１】
【図１】本発明の食器セットを構成する器体を示す斜視図である。
【図２】図１の器体が連結されてユニット体とされた状態を示す斜視図である。
【図３】図１の器体の内部に他の器体を格納した状態を示す斜視図である。
【図４】図１の器体の内部に他の器体を格納して蓋がされた状態を示す斜視図である。
【図５】図１の食器セットを示す平面図である。
【図６】図１の食器セットの横スライド連結部を示す図である。（ａ）は器体Ａの正面視における断面図、（ｂ）は器体Ｂの正面視における断面図、（ｃ）は図５の器体ＡのＥ１−Ｅ１’線断面図、（ｄ）は図５の器体ＢのＥ２−Ｅ２’線断面図である。
【図７】図１の食器セットにおいて、器体Ａと器体Ｂとを連結させる場合を示す斜視図である。
【図８】図１の食器セットにおいて、器体Ａと器体Ｂとを連結させる場合を示す平面図及び断面図である。
【図９】図１の食器セットにおいて、器体Ａと器体Ｃとを連結させる場合を示す斜視図である。
【図１０】図１の食器セットにおいて、器体Ａ、器体Ｂ、及び器体Ｃのユニット体に器体Ｄを連結させる場合を示す斜視図である。
【図１１】図１の食器セットの器体Ａを示している。（ａ）は平面図、（ｂ）は正面図、（ｃ）は右側面図、（ｄ）は背面図、（ｅ）は左側面図、（ｆ）は底面図である。
【図１２】図１の食器セットの器体Ｂを示している。（ａ）は平面図、（ｂ）は正面図、（ｃ）は右側面図、（ｄ）は背面図、（ｅ）は左側面図、（ｆ）は底面図である。
【図１３】図１の食器セットの器体Ｃを示している。（ａ）は平面図、（ｂ）は正面図、（ｃ）は右側面図、（ｄ）は背面図、（ｅ）は左側面図、（ｆ）は底面図である。
【図１４】図１の食器セットの器体Ｄを示している。（ａ）は平面図、（ｂ）は正面図、（ｃ）は右側面図、（ｄ）は背面図、（ｅ）は左側面図、（ｆ）は底面図である。
【発明を実施するための形態】
【００２２】
以下、図面を参照しつつ本発明の実施形態に係る食器セットＳについて説明する。
【００２３】
図１に示すとおり、食器セットＳ（容器セット）は、構成体として複数の器体１０を備えている。器体１０は、所定の深さを有し、内部となる収容部１１に飲食物や食材などを収容可能な皿、椀、コップなどとして使用可能な容器である。本実施形態の食器セットＳは、器体１０Ａ、器体１０Ｂ、器体１０Ｃ、及び器体１０Ｄの４つの器体１０を構成体として備えている。
【００２４】
図１に示すとおり、食器セットＳは、複数の器体１０を分離させた状態（分離状態）で飲食物や食材などを収容して使用可能であるとともに、複数の器体１０を連結させた状態（連結状態）で使用可能とされている（図２参照）。また、図３に示すとおり、食器セットＳは、１の器体１０に他の器体１０を格納してコンパクトな大きさとして収納することができる。
【００２５】
以下の説明では、器体１０やユニット体５０の底面１８をテーブルなどに接地させた状態における器体１０の高さ方向（上下方向）を、単に「上下方向Ｈ」又は「縦方向Ｈ」と記載して説明する場合がある。さらに、上下方向Ｈにおける器体１０の上方を単に「上方Ｕｐ」と、下方を単に「下方Ｌｗ」と記載して説明する場合がある。
【００２６】
さらに、以下の説明では、縦方向Ｈに交差する方向（器体１０の横方向、水平方向）を、単に「横方向Ｘ」と記載して説明する場合がある。また、横方向Ｘのうち、ユニット体５０の幅方向となる方向（器体１０Ａと器体１０Ｂとが並ぶ方向）を「幅方向Ｘ１」と、ユニット体５０の奥行き方向となる方向（器体１０Ａと器体１０Ｃとが並ぶ方向）を「奥行き方向Ｘ２」と記載して説明する場合がある。
【００２７】
さらに、食器セットＳにおいて、２以上の器体１０が連結された器体１０の集合体を、単に「ユニット体５０」と記載して説明する場合がある。
【００２８】
また、以下の説明では、器体１０の四方の側面１２のうち、複数の器体１０がユニット体５０とされた状態における器体１０Ａ及び器体１０Ｂ側の側面を「正面１４」と、正面１４とは反対側の側面を「背面１６」と、正面１４の右側の側面を「右側面１５」と、正面１４の左側の側面を「左側面１７」と記載して説明する場合がある。なお、器体１０の正面１４、右側面１５、背面１６、及び左側面１７を総称して、単に「側面１２」と記載して説明する場合がある。
【００２９】
図５に示すとおり、本実施形態の食器セットＳを構成する４つの器体１０は、いずれも平面視において略矩形（略正方形）の形状を有する升状の容器とされている。本実施形態の器体１０は、木材を組み立て、あるいは削り出して升状の形状が形成され、さらに側面の一部を削り取ることで、四方の側面のうち少なくとも一部の側面に凹凸が形成されている。また、本実施形態の器体１０は、木材を所定の形状とした後に、漆による表面加工が施されている。
【００３０】
なお、本実施形態の器体１０は木材を加工して外形を形成し、漆塗りを施したものとした例を示したが、本発明の食器セットＳ及び器体１０は本実施形態に限定されない。すなわち、本発明の食器セットに係る器体は、樹脂を成形したものであってもよいし、アルミニウム、ステンレス等の金属製としてもよい。また、本発明の食器セットに係る器体は、漆以外の表面加工を施したものであってもよいし、表面加工を行わないものとしてもよい。
【００３１】
図５に示すとおり、４つの器体１０のうち、器体１０Ａ及び器体１０Ｂは、平面視における大きさが概ね同じとされている。また、器体１０Ｃは、平面視における大きさが器体１０Ａ及び器体１０Ｂよりも小さい。さらに、器体１０Ｄは、平面視における大きさが器体１０Ｃよりも小さい。すなわち、４つの器体１０の平面視における大きさは、器体１０Ａ及び器体１０Ｂ＞器体１０Ｃ＞器体１０Ｄとなっている。また、図２に示すとおり、４つの器体１０の高さは、器体１０Ｃ＞器体１０Ｄ＞器体１０Ａ＞器体１０Ｂとなっている。
【００３２】
このように、食器セットＳでは、複数（本実施形態では４つ）の器体１０を異なる大きさや高さとされている。これにより、食器セットＳは、複数の器体１０の用途に多様性を持たせることができる。例えば、本実施形態の食器セットＳでは、比較的深さ（高さ）がある器体１０Ｄや器体１０Ｃをスープ入の器やコップ等、飲料物や汁物を入れる器として、比較的浅い（高さが低い）器体１０Ａや器体１０Ｂを皿や椀としてなど、多様な用途に応じて使用することができる。
【００３３】
また、食器セットＳは、後で説明するとおり、複数の器体１０の大きさを異なるものとし、器体１０の内部に他の器体１０を格納可能とし、コンパクトな大きさとして収納することができる（図３参照）。
【００３４】
図１１、図１２、及び図１３に示すとおり、器体１０Ａ、器体１０Ｂ、及び器体１０Ｃには、横方向Ｘに延びるように筋状の凹凸が形成されている。また、図１２、図１３、及び図１４に示すとおり、器体１０Ｂ及び器体１０Ｃには、縦方向Ｈに延びる凹状の部分が形成されており、器体１０Ｄには、縦方向Ｈに延びる凸状の部分が形成されている。
【００３５】
器体１０に形成された凹凸の少なくとも一部は、２つの器体１０を縦方向Ｈあるいは横方向Ｘにスライドするように相対移動させて連結するスライド連結部２０をなしている。なお、以下の説明では、横方向Ｘに延びるように形成された凹凸により構成されるスライド連結部２０を、「横スライド連結部２２」と記載し、縦方向Ｈに延びるように形成された凹凸により構成されるスライド連結部２０を、「縦スライド連結部３０」と記載して説明する。
【００３６】
図６（ｃ）及び図６（ｄ）に示すとおり、横スライド連結部２２は、横方向Ｘに延びるように筋状に形成された凹状の部分であるレール部２４（凹部）、及び横方向Ｘに延びるように筋状に形成された凸状の部分である進入部２６（凸部）を備えている。
【００３７】
図６（ａ）及び図６（ｂ）に示すとおり、レール部２４（凹部）は、器体１０の表面側から内側に向けて凹状に形成されている。また、図１、図６（ｃ）及び図６（ｄ）に示すとおり、レール部２４（凹部）は、器体１０の側面１２の一端から他端を横断するように横方向Ｘに筋状に形成されている。また、図６（ａ）及び図６（ｂ）に示すとおり、レール部２４は、断面視において、上下方向Ｈに向かって溝幅が広がるような略ハの字状の蟻溝状の形状とされている。
【００３８】
図１、図６（ｃ）及び図６（ｄ）に示すとおり、進入部２６（凸部）は、器体１０の側面１２の一端から横方向Ｘに延びるように形成されている。また、図６（ａ）及び図６（ｂ）に示すとおり、進入部２６は、根元がくびれるように形成されており、断面視において略八の字状の形状となっている。
【００３９】
なお、本実施形態の食器セットＳでは、器体１０の表面の一部を横方向Ｘに削り取られて凹状に形成された部分がレール部２４をなしており、残存する表面の一部が凸状に形成されて進入部２６をなしている。また、本実施形態の食器セットＳでは、器体１０の側面１２において、残存して凸状に形成されている表面のうち、進入部２６以外の部分が、後述する位置決め部４０を構成する当接部４２や規制部４４をなしている。
【００４０】
進入部２６は、他の器体１０に設けられたレール部２４に対して横方向Ｘにスライドさせて進入可能とされている。また、一方の器体１０に設けられたレール部２４に対して他の器体１０の進入部２６を進入させて嵌め込まれることで、２つの器体１０が横方向Ｘに連結される（図８参照）。
【００４１】
ここで、図１、図６等に示すとおり、本実施形態の食器セットＳに係る器体１０では、レール部２４が設けられている側面１２には、進入部２６が設けられている。別の言い方をすれば、本実施形態の食器セットＳでは、隣接して連結される２つの器体１０の連結構造において２つのスライド連結部２０が互い違いに設けられている。そのため、２つの器体１０が連結される際に、一方の器体１０のレール部２４に他方の器体１０の進入部２６が進入するとともに、他方の器体１０のレール部２４に一方の器体１０の進入部２６が進入し、レール部２４と進入部２６とが互い違いとなるように嵌め込まれる（図８参照）。これにより、本実施形態の食器セットＳは、２つの器体１０をより強固に連結することができる。
【００４２】
図８等に示すとおり、横方向Ｘに隣接して連結される２つの器体１０の側面１２には、２つの器体１０を横方向Ｘにおいて位置決めする位置決め部４０が設けられている。位置決め部４０は、２つの器体１０のうち、一方の器体１０に設けられた当接部４２と、他方の器体１０に設けられた規制部４４とにより構成されている。
【００４３】
位置決め部４０は、レール部２４に進入部２６が進入して２つの器体１０を連結させる際に、当接部４２が規制部４４と接触することにより、器体１０の進入方向への移動を規制して、横方向Ｘにおいて器体１０を位置決めする（図８参照）。
【００４４】
図６（ｄ）に示すとおり、当接部４２は、器体１０の側面１２の一端から横方向Ｘに延びるように筋状に形成された凸状の部分である。また、図１及び図６（ａ）に示すとおり、規制部４４は、器体１０の側面１２の横方向Ｘの端部近傍の端面が残存する凸状の部分として形成されている。
【００４５】
図８に示すとおり、レール部２４に進入部２６を進入させつつ２つの器体１０を連結させると、やがて当接部４２が規制部４４と接触して、器体１０の進入方向への移動が規制される。これにより、２つの器体１０が、横方向Ｘにおいて位置決めされる。すなわち、レール部２４に進入部２６を進入させつつ嵌め込むように２つの器体１０を連結させると、当接部４２が規制部４４と接触する位置で位置決めされる。
【００４６】
図５に示すとおり、本実施形態の食器セットＳでは、横スライド連結部２２は、器体１０Ａ及び器体１０Ｂが連結された状態において隣接する側面１２と、器体１０Ａ及び器体１０Ｃが連結された状態において隣接する側面１２とに設けられている。
【００４７】
より具体的に説明すると、本実施形態の食器セットＳでは、器体１０Ａ及び器体１０Ｂを連結する横スライド連結部２２として、器体１０Ａの右側面１５にレール部２４及び進入部２６が設けられており（図１１（ｃ）参照）、器体１０Ｂの左側面１７にレール部２４及び進入部２６が設けられている（図１２（ｅ）参照）。また、本実施形態の食器セットＳでは、器体１０Ａ及び器体１０Ｃを連結する横スライド連結部２２として、器体１０Ａの背面１６にレール部２４及び進入部２６が設けられており（図１１（ｄ）参照）、器体１０Ｃの正面１４にレール部２４及び進入部２６が設けられている（図１３（ｂ）参照）。
【００４８】
縦スライド連結部３０は、複数の器体１０を横方向Ｘへの移動を規制して位置決めして連結するために設けられている。図１に示すとおり、縦スライド連結部３０は、器体１０の側面１２に縦方向Ｈに延びるような筋状の溝とされた縦溝部３２と、器体１０の側面１２に縦方向Ｈに延びるような筋状の凸部とされた縦凸部３４とにより構成されている。
【００４９】
図１及び図５に示すとおり、器体１０Ｄには、２つの縦凸部３４が設けられており、一方の縦凸部３４は器体１０Ｂに設けられた縦溝部３２に対応しており、他方の縦凸部３４は器体１０Ｃに設けられた縦溝部３２に対応している。
【００５０】
図５に示すとおり、縦凸部３４は、断面視において先端が屈曲するような鉤状の形状とされている。また、縦溝部３２は、断面視において縦凸部３４に対応するような鉤状の溝とされている。そのため、縦凸部３４を縦溝部３２に進入させて２つの器体１０を連結させると、抜け止めとして機能する。
【００５１】
＜食器セットの連結状態＞
次に、複数の器体１０を連結させた場合のスライド連結部２０の機能、及び複数の器体１０が連結されたユニット体５０について説明する。
【００５２】
＜１．器体１０Ａ及び器体１０Ｂの連結＞
先ず、器体１０Ａ及び器体１０Ｂの連結について説明する。図７に示すとおり、器体１０Ａと器体１０Ｂとを連結させる際には、これらの器体１０の側面１２を摺動させるように奥行き方向Ｘ２（横方向Ｘ）に移動させ、器体１０Ａのレール部２４に器体１０Ｂの進入部２６をスライドさせて進入させる。このとき、器体１０Ｂの進入部２６も器体１０Ａのレール部２４に進入する（図８参照）。このように、食器セットＳでは、隣り合って連結される器体１０Ａ及び器体１０Ｂには、それぞれレール部２４及び進入部２６が設けられており、一方の器体１０のレール部２４と進入部２６が、他方のレール部２４及び進入部２６に相互に（互い違いに）嵌め込まれる。
【００５３】
また、上述のとおり、レール部２４は、奥側が幅広となる蟻溝状とされている。そのため、レール部２４に進入部２６を進入させて器体１０Ａと器体１０Ｂとを連結させると、器体１０Ａ及び器体１０Ｂは、上下方向Ｈ及び離反方向の移動が規制されて連結される。このように、横スライド連結部２２は、２つの器体１０が連結された状態において抜け止めとして機能して、２つの器体１０を確実に連結することができる。
【００５４】
また、図８（ｂ）に示すとおり、器体１０Ａ及び器体１０Ｂが連結された状態では、器体１０Ａのレール部２４に器体１０Ｂの進入部２６が嵌め込まれた状態となるとともに、器体１０Ｂのレール部２４に器体１０Ａの進入部２６が嵌め込まれた状態となる。さらに、器体１０Ａ及び器体１０Ｂが連結された状態では、器体１０Ｂの当接部４２が器体１０Ａの進入部２６の下方Ｌｗの凹部を埋めるように配置される。すなわち、器体１０Ａ及び器体１０Ｂを連結させた状態では、これらの側面１２の端面（進入部２６）が互い違いになるように隙間が少なく密接した状態で連結される。これにより、ガタつきを抑制して、２つの器体１０を安定して連結することができる。
【００５５】
このように、器体１０Ａ及び器体１０Ｂは、幅方向Ｘ１（横方向Ｘ）に隣接するように連結されてユニット体５０を構成する。また、食器セットＳでは、複数の器体１０が、横スライド連結部２２により離反方向に抜けることや上下方向Ｈへの移動を規制された状態で連結される。これにより、ユニット体５０を持ち運ぶ際に、器体１０Ａ及び器体１０Ｂのうち、一方の器体１０を持ち上げると他方の器体１０も同時に持ち上げられる。その結果、ユニット体５０を両手で把持することを要さず、片方から（片手で）把持して運搬することができる。
【００５６】
また、食器セットＳでは、器体１０の収容部１１を上向きとしたままで、複数の器体１０を横並びに連結することができる。そのため、器体１０に飲食物を盛り付けた状態で、かつ、複数の器体１０の内容物（飲食物等）を同時に視認可能な状態で器体１０を連結することができる。
【００５７】
＜２．器体１０Ａ及び器体１０Ｃの連結＞
次に、器体１０Ａ及び器体１０Ｃの連結について説明する。図９に示すとおり、器体１０Ａと器体１０Ｃとを連結させる際には、これらの器体１０の側面１２を摺動させるように幅方向Ｘ１（横方向Ｘ）に移動させ、器体１０Ａのレール部２４に器体１０Ｃの進入部２６をスライドさせて進入させる。このとき、器体１０Ｃの進入部２６も器体１０Ａのレール部２４に進入する。このようにして、器体１０Ａ及び器体１０Ｃが、奥行き方向Ｘ２（横方向Ｘ）に隣接するように連結される。
【００５８】
なお、図９では、器体１０Ａに対して器体１０Ｃを連結させる場合を図示したが、器体１０Ａ及び器体１０Ｂを連結させたユニット体５０に対して器体１０Ｃを連結させて３つの器体１０を連結させたユニット体５０とする場合も、同様に横スライド連結部２２により２つの器体１０のユニット体５０と器体１０Ｃとが連結される。
【００５９】
＜３．ユニット体５０と器体１０Ｄとの連結＞
次に、器体１０Ａ、器体１０Ｂ及び器体１０Ｃが連結されたユニット体５０と、器体１０Ｄとの連結について説明する。
【００６０】
上述のとおり、器体１０Ｂ及び器体１０Ｃには、縦溝部３２が形成されている。図１０に示すとおり、器体１０Ａ、器体１０Ｂ、及び器体１０Ｃが連結されたユニット体５０に対して、器体１０Ｄを上方Ｕｐから下方Ｌｗに向けてスライドさせて連結させる。この際、器体１０Ｄに形成された２つの縦凸部３４のうち、一方の縦凸部３４が器体１０Ｃの縦溝部３２に進入するとともに、他方の縦凸部３４が器体１０Ｂの縦溝部３２に進入する。
【００６１】
これにより、ユニット体５０と器体１０Ｄとが横方向Ｘに位置決めされた状態で連結される。すなわち、ユニット体５０と器体１０Ｄとが連結されたユニット体５０は、相互に横方向Ｘへの移動が規制された状態で連結される。これにより、１の器体１０から他の器体１０が横方向Ｘにズレる、あるいは横方向Ｘに移動して脱落する等を抑制し、より強固にユニット体５０として保持することができる。その結果、食器セットＳは、器体１０の集合体（ユニット体５０）を片持ちであってもさらに安定して把持することができる。
【００６２】
＜４．収容状態について＞
次に、器体１０の格納について説明する。図３に示すとおり、食器セットＳは、器体１０Ａ及び器体１０Ｂを、他の器体１０（器体１０Ｃ及び器体１０Ｄ）を収容する箱体として機能させ、４つの器体１０をコンパクトな外形とすることができる。
【００６３】
上述のとおり、器体１０Ａ及び器体１０Ｂは、平面視において概ね同じ大きさとされている。また、器体１０Ｃは、平面視における大きさが器体１０Ａの内部（収容部１１）の大きさよりも小さい。さらに、器体１０Ｄは、平面視における大きさが器体１０Ｃの内部（収容部１１）の大きさよりも小さい。
【００６４】
そのため、食器セットＳは、器体１０Ａの内部に器体１０Ｃを格納するとともに、器体１０Ｃの内部に器体１０Ｄを格納することができる。また、図４に示すとおり、器体１０Ａの内部に器体１０Ｃ及び器体１０Ｄを収容させた状態で、器体１０Ｂを蓋のように被せると、食器セットＳをコンパクトな大きさとすることができる。
【００６５】
以上、本発明の実施形態に係る食器セットＳ、及び器体１０について説明したが、本発明の食器セットＳ及び器体１０は本実施形態に限定されない。
【００６６】
例えば、本実施形態の食器セットＳでは、構成体として４つの器体１０を設けた例を示したが、本発明の食器セットは本実施形態に限定されず、食器セットを構成する器体の数は、少なくとも２つあればよく、３つであってもよく、さらに５つ以上であってもよい。
【００６７】
また、本実施形態の食器セットＳに係る器体１０は、平面視において略矩形の形状（略正方形）であるものと一例として示したが、本発明の食器セットに係る器体は本実施形態に限定されない。例えば、本発明の食器セットを構成する器体は、平面視において略円形でとしてもよいし、略長円であってもよく、長方形、楕円、扇状等、いかなる形状であってもよい。
【００６８】
さらに、本実施形態の食器セットＳでは、複数の器体１０のうち、高さや大きさが概ね同じものと、異なるものとを設けた例を示したが、本発明の食器セットは本実施形態に限定されず、複数の器体が全て同じ高さや大きさであってもよいし、全て異なる高さや大きさであってもよい。
【００６９】
さらに、本実施形態の食器セットＳでは、横スライド連結部２２の凹部（レール部２４）を蟻溝状のものとし、縦スライド連結部３０の凹部（縦溝部３２）を鉤状の断面形状を有するものとした例を示したが、本発明の食器セットは本実施形態に限定されない。例えば、本発明の食器セットは、縦スライド連結部の凹部を蟻溝状のものとしてもよい。
【００７０】
さらに、本実施形態の食器セットＳに係る器体１０は、木材に漆塗りを施したものとした例を示したが、上述のとおり本発明の食器セットに係る器体は、他の素材（樹脂や金属等）により形成したものであってもよい。
【００７１】
以上、本発明の実施形態について説明した。本実施形態において、収容部周辺や位置決め部、スライド機構など実際に食器として扱う際の手触りや口当たり、見た目を考慮した構造なっている。しかし、本発明はこれらの記述に限定されるものではない。前述の実施の形態に関して、当業者が適宜設計変更を加えたものも、本発明の特徴を備えている限り、本発明の範囲に包含される。
【産業上の利用可能性】
【００７２】
本発明は、複数の器を備える食器セットとして、好適に採用することができる。
【符号の説明】
【００７３】
Ｓ      食器セット
１０    器体
１０Ａ  器体
１０Ｂ  器体
１０Ｃ  器体
１０Ｄ  器体
２０    スライド連結部
２２    横スライド連結部（スライド連結部）
２４    レール部（凹部）
２６    進入部（凸部）
３０    縦スライド連結部（スライド連結部）
３２    縦溝部（凹部）
３４    縦凸部（凸部）
５０    ユニット体
Ｈ      縦方向
Ｘ      横方向
【要約】
【課題】本発明は、器を連結させた状態で片手で持ち運び可能な食器セットの提供を目的とした。
【解決手段】本発明の食器セットＳは、内部に飲食物を収容可能な複数の器体１０を有し、複数の器体１０を横方向Ｘに隣接するように連結可能であり、複数の器体１０のうち少なくとも１の器体１０には筋状のレール部２４が設けられ、当該器体１０と隣接して連結される器体１０には筋状の進入部が設けられており、レール部２４及び進入部２６は、レール部２４に対して進入部２６をスライドさせて嵌め込むことにより２つの器体１０を連結するスライド連結部２０をなしている。
【選択図】図１【図１】
0006771252.tif 000002
【図２】
0006771252.tif 000003
【図３】
0006771252.tif 000004
【図４】
0006771252.tif 000005
【図５】
0006771252.tif 000006
【図６】
0006771252.tif 000007
【図７】
0006771252.tif 000008
【図８】
0006771252.tif 000009
【図９】
0006771252.tif 000010
【図１０】
0006771252.tif 000011
【図１１】
0006771252.tif 000012
【図１２】
0006771252.tif 000013
【図１３】
0006771252.tif 000014
【図１４】
0006771252.tif 000015